(57)【要約】【課題】各種決済システム及び電子マネーシステム等をプリペイドカードシステムと切り離しつつ効率良く導入することを課題とする。【解決手段】本発明の遊技媒体貸出処理システムは、デビット決済額若しくは紙幣に対応するチケットを発行するチケット発行機１３０と、このチケット発行機１３０により発行されたチケットを受け入れて該チケット分のパチンコ玉を貸出処理するチケット対応台間ユニット１１０と、該チケット対応台間ユニット１１０に挿入されたチケット及び紙幣を所定の搬送路を経由して回収する島端金庫１５０とを有し、デビット決済等で得たチケットの発行、該チケットを用いたパチンコ遊技を提供し、島端金庫１５０はチケットと紙幣を分離して回収するので、紙幣と同一の感覚でチケットの使用が可能となる。【選択図】        図１
2007202740.tif 000002
【特許請求の範囲】
【請求項１】
決済システムにより決済された決済額、紙幣又は電子マネー記録媒体に記録された電子マネーに応じた遊技媒体を貸出処理する遊技媒体貸出システムであって、
前記決済額、紙幣又は電子マネーに応じて遊技媒体貸出用チケットを発行するチケット発行手段を有するチケット発行機と、
受け入れた対象物が紙幣又は前記遊技媒体貸出用チケットのいずれであるかを判別する判別手段と、該判別手段により判別された紙幣又は前記遊技媒体貸出用チケットに関連付けられた有価価値に相当する遊技媒体を貸出処理する貸出処理手段とを有する貸出処理機と、
紙幣を収納する紙幣収納手段と、前記遊技媒体貸出用チケットを収納するチケット収納手段と、前記判別手段により判別された紙幣又は前記遊技媒体貸出用チケットを前記紙幣収納手段又は前記チケット収納手段にそれぞれ収納するよう搬送制御する搬送制御手段とを有する回収装置と
を備えたことを特徴とする遊技媒体貸出システム。
【請求項２】
前記貸出処理機を管理する管理装置をさらに備え、
前記管理装置は、
前記チケット発行機により遊技媒体貸出用チケットが発行される際に各遊技媒体貸出用チケットに付与される識別情報を記憶する識別情報記憶手段と、
前記貸出処理機により受け入れられた遊技媒体貸出用チケットが持つ識別情報と、前記識別情報記憶手段に記憶される識別情報とを照合して該遊技媒体貸出用チケットが有効であるか否かを判定する受入時有効性判定手段と、
前記受入時有効性判定手段により有効であると判定された遊技媒体貸出用チケットの識別情報に対応させて前記識別情報記憶手段に使用済情報を記憶させる使用済情報記憶手段と、
前記回収装置により回収された遊技媒体貸出用チケットが持つ識別情報と、前記識別情報記憶手段に記憶される識別情報とを照合して該遊技媒体貸出用チケットが有効であるか否かを判定する回収時有効性判定手段と
を備えたことを特徴とする請求項１に記載の遊技媒体貸出システム。
【請求項３】
前記貸出処理機は、前記判別手段により前記遊技媒体貸出用チケットが受け入れられたと判別される場合に、該受け入れた遊技媒体貸出用チケットに標示を付加する標示付加手段をさらに備えたことを特徴とする請求項１又は２に記載の遊技媒体貸出システム。
【請求項４】
前記判別手段は、前記遊技媒体貸出用チケットに表示される前記識別情報の有無によって該遊技媒体貸出用チケットと紙幣とを判別することを特徴とする請求項１、２又は３に記載の遊技媒体貸出システム。
【請求項５】
前記遊技媒体貸出用チケットは紙幣と同一の大きさであることを特徴とする請求項１〜４のいずれか一つに記載の遊技媒体貸出システム。
【請求項６】
決済システムにより決済された決済額、紙幣又は電子マネー記録媒体に記録された電子マネーに応じた遊技媒体を貸出処理する遊技媒体貸出方法であって、
前記決済額、紙幣又は電子マネーに応じて遊技媒体貸出用チケットを発行するチケット発行工程と、
受け入れた対象物が紙幣又は前記遊技媒体貸出用チケットのいずれであるかを判別する判別工程と、
前記受け入れた紙幣又は前記遊技媒体貸出用チケットに関連付けられた有価価値に相当する遊技媒体を貸出処理する貸出処理工程と、
前記判別工程により判別された紙幣又は前記遊技媒体貸出用チケットを紙幣収納手段又はチケット収納手段にそれぞれ収納するよう搬送制御する搬送制御工程と
を含んだことを特徴とする遊技媒体貸出方法。
【発明の詳細な説明】
【技術分野】
【０００１】
本発明は、決済システムにより決済された決済額、紙幣又は電子マネー記録媒体に記録された電子マネーに応じた遊技媒体を貸出処理する遊技媒体貸出システム及び遊技媒体貸出方法に関し、特に、各種決済システム及び電子マネーシステム等をプリペイドカードシステムと切り離しつつ効率良く導入することが可能な遊技媒体貸出システム及び遊技媒体貸出方法に関する。
【背景技術】
【０００２】
最近のパチンコ店では、金融機関により発行されたキャッシュカード（以下「デビットカード」と言う）を用いてプリペイドカードを購入することができるデビットカードシステムが導入されつつある。
【０００３】
例えば、特許文献１には、プリペイドカードを発行するカード発行機にデビット端末を併設し、デビット端末にデビットカードを挿入して所定の操作を行いつつカード発行機上の選択ボタンを押下すると、この選択ボタンに対応する額のデビット決済を行ってこの金額が関連付けられたプリペイドカードを発行する遊技システムが開示されている。
【０００４】
この特許文献１に代表される従来のデビットカードシステムでは、遊技客がデビットカードを用いてプリペイドカードを購入可能にすることにより、遊技客の手持ちの現金がなくなった場合であっても、遊技客がパチンコ店外の銀行等に赴かなくともプリペイドカードを購入できるようにしている。
【０００５】
【特許文献１】特開２００１−３５３３３９号公報
【発明の開示】
【発明が解決しようとする課題】
【０００６】
しかしながら、かかる従来のデビットカードシステムでは、デビット決済された決済金額でプリペイドカードを購入するものであるので、パチンコ店では、デビット決済システムのみを導入することはできず、併せてプリペイドカードシステムを導入せねばならず、結果的に膨大な初期投資がかかってしまうという問題があった。
【０００７】
かかる問題は、マルチペイメントネットワーク（ＭＰＮ）等の他の決済システムを導入する場合や、電子マネーシステムを導入する場合にも同様に生ずる問題である。これらのシステムについても、デビットカードシステムと同様にプリペイドカードシステムの存在を前提としているからである。
【０００８】
特に、最近の規制緩和に伴って、プリペイドカードがなくとも直接現金を挿入することでパチンコ玉等を借り受けることが可能な遊技機が多数設置される傾向にあるため、プリペイドカードシステムと切り離してデビット決済システムを導入するニーズが高まってきている。
【０００９】
このことから、各種決済システム及び電子マネーシステム等をプリペイドカードシステムと切り離しつつ効率良く導入することが可能な遊技媒体貸出システムをいかにして実現するかが重要な課題となっている。
【００１０】
本発明は、上記課題（問題点）に鑑みてなされたものであり、各種決済システム及び電子マネーシステム等をプリペイドカードシステムと切り離しつつ効率良く導入することが可能な遊技媒体貸出システム及び遊技媒体貸出方法を提供することを目的とする。
【課題を解決するための手段】
【００１１】
上述した課題を解決するため、本発明は、決済システムにより決済された決済額、紙幣又は電子マネー記録媒体に記録された電子マネーに応じた遊技媒体を貸出処理する遊技媒体貸出システムであって、前記決済額、紙幣又は電子マネーに応じて遊技媒体貸出用チケットを発行するチケット発行手段を有するチケット発行機と、受け入れた対象物が紙幣又は前記遊技媒体貸出用チケットのいずれであるかを判別する判別手段と、該判別手段により判別された紙幣又は前記遊技媒体貸出用チケットに関連付けられた有価価値に相当する遊技媒体を貸出処理する貸出処理手段とを有する貸出処理機と、紙幣を収納する紙幣収納手段と、前記遊技媒体貸出用チケットを収納するチケット収納手段と、前記判別手段により判別された紙幣又は前記遊技媒体貸出用チケットを前記紙幣収納手段又は前記チケット収納手段にそれぞれ収納するよう搬送制御する搬送制御手段とを有する回収装置とを備えたことを特徴とする。
【００１２】
また、本発明は、上記発明において、前記貸出処理機を管理する管理装置をさらに備え、前記管理装置は、前記チケット発行機により遊技媒体貸出用チケットが発行される際に各遊技媒体貸出用チケットに付与される識別情報を記憶する識別情報記憶手段と、前記貸出処理機により受け入れられた遊技媒体貸出用チケットが持つ識別情報と、前記識別情報記憶手段に記憶される識別情報とを照合して該遊技媒体貸出用チケットが有効であるか否かを判定する受入時有効性判定手段と、前記受入時有効性判定手段により有効であると判定された遊技媒体貸出用チケットの識別情報に対応させて前記識別情報記憶手段に使用済情報を記憶させる使用済情報記憶手段と、前記回収装置により回収された遊技媒体貸出用チケットが持つ識別情報と、前記識別情報記憶手段に記憶される識別情報とを照合して該遊技媒体貸出用チケットが有効であるか否かを判定する回収時有効性判定手段とを備えたことを特徴とする。
【００１３】
また、本発明は、上記発明において、前記貸出処理機は、前記判別手段により前記遊技媒体貸出用チケットが受け入れられたと判別される場合に、該受け入れた遊技媒体貸出用チケットに標示を付加する標示付加手段をさらに備えたことを特徴とする。
【００１４】
また、本発明は、上記発明において、前記判別手段は、前記遊技媒体貸出用チケットに表示される前記識別情報の有無によって該遊技媒体貸出用チケットと紙幣とを判別することを特徴とする。
【００１５】
また、本発明は、上記発明において、前記遊技媒体貸出用チケットは紙幣と同一の大きさであることを特徴とする。
【００１６】
また、本発明は、決済システムにより決済された決済額、紙幣又は電子マネー記録媒体に記録された電子マネーに応じた遊技媒体を貸出処理する遊技媒体貸出方法であって、前記決済額、紙幣又は電子マネーに応じて遊技媒体貸出用チケットを発行するチケット発行工程と、受け入れた対象物が紙幣又は前記遊技媒体貸出用チケットのいずれであるかを判別する判別工程と、前記受け入れた紙幣又は前記遊技媒体貸出用チケットに関連付けられた有価価値に相当する遊技媒体を貸出処理する貸出処理工程と、前記判別工程により判別された紙幣又は前記遊技媒体貸出用チケットを紙幣収納手段又はチケット収納手段にそれぞれ収納するよう搬送制御する搬送制御工程とを含んだことを特徴とする。
【発明の効果】
【００１７】
本発明によれば、決済額、紙幣又は電子マネーに応じた遊技媒体貸出用チケットをチケット発行機が発行し、紙幣及び遊技媒体貸出用チケットの両方を受け入れる貸出処理機が受け入れた遊技媒体貸出用チケット分の遊技媒体を貸出処理し、回収装置が紙幣及び遊技媒体貸出用チケットを区別して回収するよう構成したので、各種決済システム及び電子マネーシステム等をプリペイドカードシステムと切り離しつつ効率よく導入することができる。また、各種決済システム及び電子マネーシステム等の現金機への効率よい導入を促進することができる。また、貸出処理機において紙幣と遊技媒体貸出用チケットとを区別することなく使用でき、遊技媒体貸出用チケットの高い利便性が得られる。
【００１８】
また、本発明によれば、遊技媒体貸出用チケット受け入れ時に該遊技媒体貸出用チケットの有効性を判定する受入時有効性判定手段と、遊技媒体貸出用チケット回収時に該遊技媒体貸出用チケットの有効性を判定する回収時有効性判定手段とを備えたので、不正な遊技媒体貸出用チケットの使用を排除することができる。
【００１９】
また、本発明によれば、受け入れられた遊技媒体貸出用チケットに標示を付加する標示付加手段を備えたので、一目で使用済の遊技媒体貸出用チケットを区別することができる。
【００２０】
また、本発明によれば、判別手段は、遊技媒体貸出用チケットに表された識別情報の有無によって該遊技媒体貸出用チケットと紙幣とを識別するので、正確、迅速かつ簡便に識別が可能となる。
【００２１】
また、本発明によれば、遊技媒体貸出用チケットは紙幣と同一の大きさであるので、該遊技媒体貸出用チケットを紙幣と同じ感覚で使用することができる。
【発明を実施するための最良の形態】
【００２２】
以下に添付図面を参照して、本発明に係る遊技媒体貸出システム及び遊技媒体貸出方法の好適な実施例を詳細に説明する。なお、ここでは本発明をデビット決済システムに適用した場合を中心に説明することとするが、本発明はデビット決済システムに限らず、電子マネーシステム等やその他の決済システムに適用可能である。また、以下の実施例では、遊技媒体をパチンコ玉とし、チケット対応台間ユニット（遊技媒体貸出機）をパチンコ玉貸出し機とするが、本発明は、パチンコ玉及びパチンコ玉貸出し機に限らず、メダル及びメダル貸出し機にも適用可能である。
【実施例】
【００２３】
まず、本実施例に係る遊技媒体貸出システム及び遊技媒体貸出方法の概念について説明する。図１は、本実施例に係る遊技媒体貸出システム及び遊技媒体貸出方法の概念を説明するための説明図である。同図に示すように、この遊技媒体貸出システムは、パチンコ店内にチケット発行機１３０、チケット対応台間ユニット１１０及び島端金庫１５０を配設し、チケットを用いて遊技媒体であるパチンコ玉等を借り受けることを可能にした点に特徴がある。チケットは、チケット対応台間ユニット１１０に対して紙幣と混在させて挿入可能であり、チケットと紙幣は混在して島端金庫１５０まで搬送され、島端金庫１５０でチケットと紙幣とが区別されて収納される。
【００２４】
ここでいう「チケット」とは、パチンコ機１００に並設される台間ユニットで使用可能な紙幣分の有価価値が関連付けられた単金種の有価媒体である。例えば台間ユニットで１０００円札のみが使用可能な場合には、１０００円分の有価価値が関連付けられたチケットが用いられる。なお、ここで対象とする台間ユニットは、プリペイドカード等を内在させて高額紙幣に対応したものではなく、例えば１０００円を投入されれば１０００円分のパチンコ玉の貸出処理をパチンコ機１００に指示する装置である。かかる台間ユニットを対象とした理由は、最近のパチンコ機１００はプリペイドカード対応以外のものが増加しつつあり、またプリペイドカードを前提としてしまうとプリペイドカードシステムとは別にデビットカードシステムを導入できないからである。
【００２５】
このように、かかるチケットは、従来のプリペイドカードのように所定額の有価価値を関連付け、使用する都度に所定額から一定額を減算するといった性質のものではなく、台間ユニットに挿入される紙幣のように、使い切り型の性質を持つものである。
【００２６】
次に、この図１を参照して、チケット発行、チケット使用及びチケット回収の一連の処理の流れについて説明する。なお、図１に示したチケット発行機１３０は、所定の情報処理センタに対してデビット決済依頼を行うデビット端末の機能を有するものとする。また、管理コンピュータ１６０の設定記憶部１６２ｂには、チケットの発行単位（本実施例では１０００円とする）が予め記憶されているものとする。
【００２７】
同図に示すように、遊技客がチケット発行機１３０上で所望の金額ボタンを押下しつつデビットカードの挿入及び暗証番号入力を行うと（図１中の（１））、押下された金額ボタンを決済要求額とするデビット決済要求がチケット発行機１３０から情報処理センタに対して行われる。
【００２８】
そして、かかるデビット決済要求が容認され決済要求額の決済処理がなされると、チケット発行機１３０は、発行対象となるチケットのチケットＩＤ（ここでは00298、00299、00300とする）を含むチケット発光依頼を管理コンピュータ１６０に対して行う（図１中の（２））。
【００２９】
このチケット発行依頼を受け付けた管理コンピュータ１６０は、チケット残高情報データベース（チケット残高情報ＤＢ）１６２ａに発行対象となるチケットのチケットＩＤ（00298、00299、00300）を登録し（図１中の（３））、登録済み、即ち発行許可されたチケットのチケットＩＤ（00298、00299、00300）をチケット発行機１３０に通知する（図１中の（４））。そしてこの発行許可を受け付けたチケット発行機１３０は、チケットＩＤ（00298、00299、00300）のチケットを発行し（図１中の（５））、遊技客は３枚のチケットを入手する。
【００３０】
かかる遊技客がチケット対応台間ユニット１１０に赴いてチケットを紙幣と同様に挿入すると（図１中の（６）及び（６´））、このチケット対応台間ユニット１１０から管理コンピュータ１６０に対してチケットＩＤを含んでチケット使用要求がなされ、該チケットＩＤが未使用である場合に管理コンピュータ１６０チケット残高情報ＤＢを更新すると共にチケット対応台間ユニット１１０に対してチケット使用許可を出力する（図１中の（７））。
【００３１】
そしてこのチケット使用許可を受け取ったチケット対応台間ユニット１１０では、挿入されたチケットに対して、使用済みのチケットであることを示すマーキングを行う処理を施す（図１中の（８））。そしてパチンコ機１００に対して１０００円分のパチンコ玉を投出するように指示し、該指示を受け取ったパチンコ機１００が１０００円分のパチンコ玉を投出する（図１中の（９））。
【００３２】
この使用済みのチケットは、紙幣と混合して所定の搬送路を経由して島端金庫１５０へ搬送される（図１中の（１０））。そして島端金庫１５０では、チケットのチケットＩＤ（00298、00299、00300）を管理コンピュータ１６０に通知し、管理コンピュータ１６０では、このチケットＩＤがチケット残高情報ＤＢに登録されているものであるか否か照合する（図１中の（１１））。そして紙幣とチケットを分離してそれぞれの収納部へ収納する（図１中の（１２））。
【００３３】
なお、島端金庫１５０は、本来ネットワークを介して管理コンピュータ１６０などと接続される性質のものではないが、本発明では、島端金庫１５０が回収したチケットのチケットＩＤを管理コンピュータ１６０に送信して、管理コンピュータ１６０側で該チケットＩＤの登録の有無を検証することとしたため、島単金庫１５０はネットワークに接続されている。この点が特徴の一つとなる。
【００３４】
上記一連の処理を行うことにより、遊技客はチケット発行機１３０から発行された単一金種相当のチケットを紙幣同様に用いてパチンコ玉を借り受けることができ、チケット対応台間ユニット１１０に紙幣同様に挿入されたチケットは、紙幣と混合して島端金庫１５０へ搬送されて、この島端金庫１５０で分離収納される。即ち、遊技客は、チケットを紙幣と全く同一の感覚で使用することができる。
【００３５】
なお、島端金庫１５０は、遊技店内のネットワークに接続されず、チケット発行機１３０と直接接続される形態をとってもよく、この場合には、島端金庫１５０はチケット発行機１３０を経由して管理コンピュータ１６０に対してチケットＩＤ照合要求処理を行うこととなる。
【００３６】
次に、本実施例に係る遊技媒体貸出システムのシステム構成について説明する。図２は、本実施例に係る遊技媒体貸出システムのシステム構成を示すブロック図である。同図に示すように、パチンコ店内に設けられる各パチンコ機１００にはそれぞれチケット対応台間ユニット１１０が併設されており、各チケット対応台間ユニット１１０は、島コントローラ１２０を介して管理コンピュータ１６０に接続されている。また、この管理コンピュータ１６０には、デビット端末１４０が併設されたチケット発行機１３０とチケット精算機１５０が接続されている。
【００３７】
パチンコ機１００は、パチンコ玉を遊技領域に発射して遊技客が遊技を行う遊技機であり、チケット対応台間ユニット１１０は、このパチンコ機１００に併設され、紙幣若しくは単一金種分の有価価値が関連付けられたチケットを受け付けて遊技媒体であるパチンコ玉を貸し出す処理機である。島コントローラ１２０は、各島に配設されたパチンコ機１００及びチケット対応台間ユニット１１０と管理コンピュータ１６０との間のデータ中継を行う中継装置である。
【００３８】
チケット発行機１３０は、単一金種の有価価値が関連付けられたチケットを発行する装置であり、遊技客がこのチケット発行機１３０に紙幣を挿入するか又はデビット端末１４０を用いたデビット決済依頼によりチケットを発行することができる。
【００３９】
デビット端末１４０は、チケット発行機１３０と通信可能に接続されており、デビットカード、該デビットカードに対応付けられた暗証番号及び決済要求額を受け付けた場合には、この決済要求額のデビット決済要求を公衆回線網１７０を介して情報処理センタ１８０に対して行う端末装置である。なお、デビット端末１４０及びチケット発行機１３０は、一体であってもよい。
【００４０】
島端金庫１５０は、チケット対応台間ユニット１１０に挿入され、チケット対応台間ユニット１１０から所定の搬送路を経由して搬送されてきたチケット及び紙幣を、区別して収納する機能を有するものである。
【００４１】
管理コンピュータ１６０は、パチンコ店に少なくとも１台設置されており、チケット残高情報ＤＢを用いてチケットＩＤ毎に残有無（使用済みフラグ）、発行額、発行日時及び使用日時等を管理する管理装置である。すなわち、チケットにはチケットＩＤが記憶されており、このチケットＩＤに関する情報は管理コンピュータ１６０で管理されているのである。
【００４２】
情報処理センタ１８０は、デビット端末１４０からのデビット決済要求を受け付ける窓口であり、かかるデビット決済要求を受け付けたならば、ＣＡＦＩＳネットワーク１９０を介して遊技客（利用者）の銀行口座が設けられているデビットカード発行銀行２００に対して残高問い合わせを行い、決済要求額以上の口座残高がある場合には決済処理を行う。この決済処理に応答して、デビットカード発行銀行２００の遊技客の銀行口座から加盟店銀行２１０の情報処理センタ１８０の口座に決済要求額が引き落とされる。その後、所定の手数料を差し引いた金額が、この加盟店銀行２１０の情報処理センタ１８０の口座から△△銀行２２０のパチンコ店の口座にまとめて決済額が振り込まれる。
【００４３】
次に、図２に示したデビット端末１４０及びチケット発行機１３０の構成について説明する。図３は、図２に示したデビット端末１４０及びチケット発行機１３０の外観構成を示す正面図である。
【００４４】
同図に示すように、このデビット端末１４０の前面には、表示部１４１、テンキー１４２、デビットカード挿入口１４３及びレシート発行口１４４が設けられ、チケット発行機１３０の前面には、表示部１３１、金額選択ボタン１３２、チケット発行口１３３及び紙幣挿入／排出口１３４が設けられている。なお、チケット発行機１３０には、紙幣挿入／排出口１３４が設けられていなくともよい。
【００４５】
ここで、この正面図を用いてデビット端末１４０の操作概要を説明すると、まず遊技客は、デビットカード挿入口１４３にデビットカードを挿入するとともにテンキー１４２を用いて暗証番号を入力する。また、遊技客がチケット発行機１３０の金額選択ボタン１３２を押下すると、押下した金額が決済要求額としてデビット端末１４０に通知される。上記一連の操作が行われると、デビット端末１４０は情報処理センタ１８０に対してデビット決済要求を行う。
【００４６】
そして、情報処理センタ１８０によりデビット決済要求が容認されると、表示部１４１上に決済完了等が表示され、チケット発行機１３０のチケット発行口１３３から決済額に対応する額のチケットが排出されるとともに、レシート発行口１４４からレシートが発行され、デビットカード挿入口１４３からデビットカードが返却される。なお、チケットは単一金種であるので、決済額分のチケットが排出されることになる。
【００４７】
図４は、図２に示したデビット端末１４０及びチケット発行機１３０の内部構成を示す機能ブロック図である。同図に示すように、このデビット端末１４０は、表示部１４１、テンキー１４２、通信インターフェース部（通信Ｉ／Ｆ部）１４０ａ及び１４０ｂ、カードリーダ１４０ｃ、印字部１４０ｄ、デビットカード処理部１４０ｅ及び制御部１４０ｆを有する。
【００４８】
表示部１４１は、液晶パネル等で形成される表示デバイスであり、この表示部１４１にはデビット決済要求した結果（容認又は棄却）等が表示される。テンキー１４２は、遊技客がデビット決済取引を行う際に必要になる情報すなわち暗証番号等の入力を行うための入力デバイスである。
【００４９】
通信Ｉ／Ｆ部１４０ａは、公衆回線網１７０を介して情報処理センタ１８０とデータ通信するためのインターフェース部であり、通信Ｉ／Ｆ部１４０ｂは、チケット発行機１３０並びに該チケット発行機１３０を介して管理コンピュータ１６０と通信を行うためのインターフェース部である。
【００５０】
カードリーダ１４０ｃは、デビットカード挿入口１４３に挿入されたデビットカードからカードＩＤを読み取って制御部１４０ｆに出力する処理部であり、印字部１４０ｄは、デビット決済取引終了後のデビット明細をレシートとして印字するための小型プリンタである。この印字部１４０ｄで印字されたレシートは、レシート発行口１４４から排出される。
【００５１】
デビットカード処理部１４０ｅは、遊技客からデビット決済依頼を受け付けた際に、情報処理センタ１８０に対してこのデビット決済依頼に対応するデビット決済要求を行う処理部であり、具体的には、カードＩＤ、暗証番号及び決済要求額（選択された金額選択ボタン１３２の額＋手数料）を情報処理センタ１８０に送信してデビット決済要求を行う。例えば、カードＩＤ「1234567」を所有する遊技客から「３０００円」のデビット決済依頼を受けた場合には、このデビットカード処理部１４０ｅは、情報処理センタ１８０に対して「３０００円＋手数料」分のデビット決済要求を行う。
【００５２】
制御部１４０ｆは、デビット端末１４０の全体制御を行う制御部であり、具体的には、公衆回線網１７０を介して情報処理センタ１８０との間のデータ授受を行う処理、管理コンピュータ１６０との通信を行う処理等を行う。
【００５３】
一方、チケット発行機１３０は、表示部１３１と、金額選択ボタン１３２と、通信Ｉ／Ｆ部１３０ａ及び１３０ｂと、紙幣処理部１３０ｃと、チケット発行処理部１３０ｄと、発行制御部１３０ｅとを有する。
【００５４】
表示部１３１は、液晶パネル等で形成される表示デバイスであり、この表示部１４１には発行するチケットの枚数及びチケットＩＤ等が表示される。金額選択ボタン１３２は、遊技客が購入するチケットの金額を指定するボタンであり、本実施例では一枚のチケットに１０００円の有価価値を関連付けることとしているので、３０００円の金額選択ボタンはチケット３枚を意味することになる。
【００５５】
通信Ｉ／Ｆ部１３０ａは、管理コンピュータ１６０と通信を行うためのインターフェース部であり、通信Ｉ／Ｆ部１３０ｂは、デビット端末１４０との間でデータ通信するためのインターフェース部である。
【００５６】
紙幣処理部１３０ｃは、紙幣挿入／排出口１３４から挿入された紙幣に係る処理を行う処理部であり、具体的には、紙幣の金種判定、真偽判定、紙幣収納処理等を行う。
【００５７】
チケット発行処理部１３０ｄは、投入された紙幣若しくはデビット決済額分のチケットを発行する処理部であり、具体的には、紙幣を受け付けるか若しくはデビット決済がなされた場合に、該金額分のチケットのチケットＩＤを含むチケット発行依頼を管理コンピュータ１６０に送信し、管理コンピュータ１６０からチケット発行許可を受け付けた時点で該チケットをチケット発行口１３３から発行する。
【００５８】
発行制御部１３０ｅは、チケット発行機１３０の全体制御を行う制御部であり、管理コンピュータ１６０及びデビット端末１４０との間の通信制御や、チケット発行処理部１３０ｄへのチケット発行指示制御等を行う。
【００５９】
次に、図２に示したチケット対応台間ユニット１１０の内部構成について説明する。図５は、図２に示したチケット対応台間ユニット１１０の内部構成を示す機能ブロック図である。
【００６０】
同図に示すように、このチケット対応台間ユニット１１０は、紙幣（一金種のみ）及びチケットの挿入に応答して玉貸し処理を行う台間ユニットであり、紙幣処理部１１１と、チケット読取部１１２と、チケットマーキング処理部１１３と、通信Ｉ／Ｆ部１１５と、制御部１１４とを有する。なお、紙幣処理部１１１とチケット読取部１１２は、本来は同一の機構であるが、機能的な差異に基づき、図５においては分離して示している。即ち、紙幣処理部１１１及びチケット読取部１１２は同一の処理部である。
【００６１】
紙幣処理部１１１は、図示しない紙幣挿入口から紙幣を受け付けた場合に、この紙幣の金種判定及び真偽判定を行い、受入対象金種（例えば１０００円）の正当な紙幣である場合には、制御部１１４にその旨を通知するとともに、紙幣を図示しない搬送路に排出する処理部である。該搬送路は、チケット対応台間ユニット１１０に挿入された紙幣及びチケットを島端金庫１５０へ搬送するための搬送路である。
【００６２】
チケット読取部１１２は、図示しないチケット挿入口（前述の紙幣挿入口と同一）からチケットを受け付けた場合に、該チケットにバーコードにて記録されているチケットＩＤを読み取って制御部１１４に出力する処理部である。チケットマーキング処理部１１３は、チケット対応台間ユニット１１０が受け付けたチケットに対して、使用済みであることを示すマークを付す処理を行うものである。該マークは、マークの印刷や押印、パンチによる穿孔などである。通信Ｉ／Ｆ部１１５は、島コントローラ１２０を介して管理コンピュータ１６０との間のデータ通信を司るインターフェース部である。
【００６３】
制御部１１４は、チケット対応台間ユニット１１０の全体制御を行う制御部であり、紙幣対応玉貸し処理部１１４ａ、チケット対応玉貸し処理部１１４ｂ、紙幣搬送制御部１１４ｃ及びチケット搬送制御部１１４ｄを有する。紙幣対応玉貸し処理部１１４ａは、図示しない紙幣挿入口から受け付けた紙幣に応答してパチンコ機１００の玉投出機構部１０１に紙幣分のパチンコ玉を投出するよう指示する処理部であり、かかる一連の処理は管理コンピュータ１６０を介することなくローカルに行われる。
【００６４】
チケット対応玉貸し処理部１１４ｂは、図示しないチケット挿入口から受け入れたからチケットに応答して玉貸し処理を行う処理部であり、具体的には、チケット読取部１１２により読み取られたチケットＩＤが未使用であるか否かを管理コンピュータ１６０に問い合わせ、未使用である場合にはパチンコ機１００の玉投出機構部１０１にチケット分のパチンコ玉を投出するよう指示する。
【００６５】
紙幣搬送制御部１１４ｃは、挿入された紙幣を島端金庫１５０へ向けて搬送するよう制御する制御部であり、チケット搬送制御部１１４ｄは、使用済みのチケットを島端金庫１５０へ向けて搬送するよう制御する制御部である。
【００６６】
次に、図２に示した島端金庫１５０の内部構成について説明する。図６は、図２に示した島端金庫１５０の内部構成を示す機能ブロック図である。同図に示すように、この島端金庫１５０は、制御部１５１と、チケット・紙幣受付処理部１５２と、チケットＩＤ読取部１５３と、収納処理部１５４と、チケットＩＤ異常報知部１５５と、管理コンピュータ１６０と通信を行うためのインターフェース部である通信Ｉ／Ｆ部１５６とを有する。
【００６７】
制御部１５１は、島端金庫１５０の全体制御を行う制御部であり、チケット・紙幣判別処理部１５１ａと、チケットＩＤ照合要求処理部１５１ｂとを有する。チケット・紙幣判別処理部１５１ａは、島単金庫１５０へ搬送されてきたチケット若しくは紙幣が何れであるかを判定し、区別する処理を行う。該処理を経て、チケット又は紙幣は、それぞれチケット若しくは紙幣として取り扱われることとなる。チケット・紙幣判別処理部１５１ａにより判別されたチケットは、チケット読取部１５３によるチケットＩＤの読取処理対象となる。また、収納処理部１５４によるチケットと紙幣とに区別した収納処理が可能となる。
【００６８】
チケットＩＤ照合要求処理部１５１ｂは、チケットＩＤ読取部１５３の処理により読み取られたチケットＩＤを元に、管理コンピュータ１６０に該チケットＩＤが登録されているものか否かの照合を要求する処理部である。即ち管理コンピュータ１６０に、チケットＩＤを含んで該チケットＩＤの照合処理を要求する処理を行う。
【００６９】
チケット・紙幣受付処理部１５２は、島単金庫１５０に搬送されてきたチケット又は紙幣を受け付ける処理を行う処理部である。該受け付けの際には、チケット、紙幣を区別せず受け付け処理を行う。これは、チケットが紙幣と同一のサイズをもつ紙片であるために可能となるものである。これによって遊技客は、チケットを紙幣と同様の感覚で使用することができ、チケット利用の利便性が向上する。チケット・紙幣受付処理部１５２により受け付けられたチケット若しくは紙幣は、チケット・紙幣判別処理部１５１ａの処理対象となる。
【００７０】
チケットＩＤ読取部１５３は、チケット・紙幣判別処理部１５１ａにより判別されたチケットの券面にバーコードにて印刷されているチケットＩＤを読み取るバーコードリーダである。該チケットＩＤ読取部１５３によりチケットＩＤが読み取られたチケットは、チケットＩＤ照合要求処理部１５１ｂにより管理コンピュータ１６０に対してチケットＩＤの照合処理要求の対象となる。なお、チケットＩＤ読取部１５３は、バーコードリーダに限らず、チケットの券面にチケットＩＤが磁気的に付されている場合には、磁気読取装置である。或いは、チケットの券面にチケットＩＤがホログラム等のように光学的に付されている場合には、光学的読取装置である。
【００７１】
収納処理部１５４は、島端金庫１５０に搬送されてきたチケット若しくは紙幣を、チケット・紙幣判別処理部１５１ａの判別処理結果に応じて、チケット、紙幣毎に収納する処理を行う。収納処理部１５４は、チケット収納処理部１５４ａと、紙幣収納処理部１５４ｂとを有する。チケット収納処理部１５４ａは、チケット・紙幣判別処理部１５１ａにより判別されたチケットを収納する処理部である。紙幣収納処理部１５４ｂは、チケット・紙幣判別処理部１５１ａにより判別された紙幣を収納する処理部である。チケット収納処理部１５４ａ及び紙幣収納処理部１５４ｂは、チケットと紙幣を分離して収納するための収納部にそれぞれ連繋するように配設されている。
【００７２】
チケットＩＤ異常報知部１５５は、チケットＩＤ照合要求処理部１５１ｂによるチケットＩＤの照合要求の結果、管理コンピュータ１６０から異常、即ち当該チケットＩＤの登録がないとの通知があった場合に、該異常を報知するための報知部である。チケットＩＤ異常報知部１５５は、該異常を表示して報知する表示部や、音で報知するスピーカなどで構成されているものである。
【００７３】
なお、チケットＩＤ照合要求処理部１５１ｂによるチケットＩＤの照合要求の結果、管理コンピュータ１６０から異常を通知されたチケットは、図示しないチケット排出処理部の処理により、島端金庫１５０が有する図示しないリジェクト部に収納されることとなる。
【００７４】
次に、図２に示した管理コンピュータ１６０の内部構成について説明する。図７は、図２に示した管理コンピュータ１６０の内部構成を示す機能ブロック図である。同図に示すように、この管理コンピュータ１６０は、制御部１６１と、記憶部１６２と、チケット発行機１３０、チケット対応台間ユニット１１０及び島端金庫１５０と通信を行うためのインターフェース部である通信Ｉ／Ｆ部１６３とを有する。
【００７５】
制御部１６１は、管理コンピュータ１６０の全体制御を行う制御部であり、チケット発行処理部１６１ａと、チケット使用済登録処理部１６１ｂと、チケットＩＤ照合処理部１６１ｃとを有する。チケット発行処理部１６１ａは、チケット発行機１３０で発行要求の受け付けがなされた枚数分のチケットにユニークなチケットＩＤを付与し、このチケットＩＤを持つレコードをチケット残高情報ＤＢのチケット残高情報テーブルに新規追加する。チケット残高情報テーブルにおけるレコード新規追加の際には、チケットＩＤのカラムに「チケットＩＤ」を、使用済みフラグのカラムに「０（未使用）」を、発行額のカラムに「１０００」を、発行日時のカラムに当該処理日時をそれぞれ入力する。さらにチケット残高情報テーブルへの新規レコードの追加が正常完了した場合には、チケット発行機１３０に対して当該チケット発行の許可を通知する。
【００７６】
チケット使用済登録処理部１６１ｂは、チケット対応台間ユニット１１０からの要求に応じて、該チケット対応台間ユニット１１０に挿入されたチケットのチケットＩＤに対応するチケット残高情報テーブルのレコードの使用済みフラグのカラムに「１（使用済み）」を入力し、使用日時のカラムに該チケット対応台間ユニット１１０に挿入された日時を入力する。そして、該入力処理が正常に終了すると、その旨をチケット対応台間ユニット１１０へ通知する。ここで、チケット対応台間ユニット１１０に挿入されたチケットのチケットＩＤに対応するチケット残高情報テーブルのレコードが存在しない場合には、チケット使用済登録処理部１６１ｂは、異常、即ちチケット残高情報テーブルへのチケットＩＤ登録なしをチケット対応台間ユニット１１０へ通知する。該通知を受けたチケット対応台間ユニット１１０は、当該挿入されたチケットを不正なチケットとして受け付けず外部へ排出し、異常があった旨の報知を、表示部、スピーカ、発行部等の少なくともいずれかの手段を用いて報知する。このようにすると、本遊技媒体貸出システムにおけるチケットの不正使用を排除することができる。
【００７７】
チケットＩＤ照合処理部１６１ｃは、島端金庫１５０からの要求に応じて、該島端金庫１５０に回収されたチケットのチケットＩＤに対応するチケット残高情報テーブルのレコードが存在するか否かを検証する。そして、該検証処理が正常に終了すると、その旨を島端金庫１５０へ通知する。ここで、島端金庫１５０に回収されたチケットのチケットＩＤに対応するチケット残高情報テーブルのレコードが存在しない場合には、チケットＩＤ照合処理部１６１ｃは、異常、即ちチケット残高情報テーブルへのチケットＩＤ登録なしを島端金庫１５０へ通知する。該通知を受けた島端金庫１５０は、当該回収されたチケットを不正なチケットとして受け付けず外部へ排出し、異常があった旨の報知を、チケットＩＤ異常報知部１５５を用いて報知する。このようにすると、本遊技媒体貸出システムにおけるチケットの不正使用を排除することができる。
【００７８】
上記したように、チケット使用済登録処理部１６１ｂ及びチケットＩＤ照合処理部１６１ｃにおいてチケットＩＤを２重に検証することにより、より高い精度で不正なチケットの検出及び排除を行うことができ、さらにはチケットの不正使用を抑止する効果が期待できる。
【００７９】
記憶部１６２は、管理コンピュータ１６０が有する内部記憶装置及び外部記憶装置の総称である。外部記憶装置はハードディスクなどのストレージデバイスであり、或いはフラッシュメモリである。内部記憶装置は、ＲＡＭなどの揮発性メモリ、或いはＥＰＲＯＭなどの不揮発性メモリ、又はＲＯＭなど読み出し専用メモリである。記憶部１６２は、チケット残高情報ＤＢ１６２ａと、設定記憶部１６２ｂとを有する。チケット残高情報ＤＢ１６２ａは外部記憶装置に構築されるものであり、ハードディスクに構築されることが好適である。また、設定記憶部１６２ｂは、内部記憶装置であり、ＥＰＲＯＭに格納されることが好適である。
【００８０】
チケット残高情報ＤＢ１６２ａは、図８に示すように、チケットＩＤ、使用済みフラグ、発行額、発行日時、使用日時のカラムを持ち、チケットＩＤを主キーとして構成されるチケット残高情報テーブルで構築される。該チケット残高情報ＤＢ１６２ａにより、チケット発行機１３０にて発行されたチケットの正当性が一元的に管理される。また、設定記憶部１６２ｂにより、チケット発行機１３０で発行されるチケットに関連付けられる発行金額の単位が規定される。
【００８１】
次に、図４に示したチケット発行機１３０及び図７に示した管理コンピュータ１６０によるチケット発行手順について説明する。図９は、図４に示したチケット発行機１３０及び図７に示した管理コンピュータ１６０によるチケット発行手順を示すフローチャートである。
【００８２】
同図に示すように、チケット発行機１３０上の金額選択ボタン１３２の押下操作を受け付けるとともに（ステップＳ１０１）、デビット端末１４０によりデビットカード及び暗証番号を受け付けると（ステップＳ１０２）、デビット端末１４０が情報処理センタ１８０にデビット決済要求を行い（ステップＳ１０３）、決済結果待ちの状態となる（ステップＳ１０４否定）。
【００８３】
ここで、デビット端末１４０が情報処理センタ１８０から決済容認通知を受信したならば（ステップＳ１０４肯定、ステップＳ１０５肯定）、決済額分のチケットの発行依頼を管理コンピュータ１６０へ送信する（ステップＳ１０６）。具体的には、３０００円分の決済要求を行った場合には、１０００円分の有価価値が関連付けられた３枚のチケットのチケット発行依頼を管理コンピュータ１６０に対して行い、この管理コンピュータ１６０にて決済額分のチケットのチケットＩＤ登録が行われ（ステップＳ１０５）、該管理コンピュータ１６０がチケット発行機１３０へ発行許可を送信し（ステップＳ１０８）、該送信された発行許可をチケット発行機１３０が受信したならば、かかる３枚のチケットをチケット発行口１３３から排出することになる（ステップＳ１０９）。
【００８４】
そして、デビット端末１４０は、レシート発行口１４４からレシートを排出し（ステップＳ１１０）、表示部１４１上に取引完了表示を行うことになる（ステップＳ１１１）。
【００８５】
一方、決済要求が棄却された場合には（ステップＳ１０４肯定、ステップＳ１０５否定）、デビット決済ができなかった旨を表示部１４１に表示するエラー処理を行って（ステップＳ１１２）、処理を終了する。
【００８６】
次に、図５に示したチケット対応台間ユニット１１０及び図７に示した管理コンピュータ１６０による玉貸し処理手順について説明する。図１０は、図５に示したチケット対応台間ユニット１１０及び図７に示した管理コンピュータ１６０による玉貸し処理手順を示すフローチャートである。
【００８７】
同図に示すように、このチケット対応台間ユニット１１０は、当初紙幣若しくはチケット挿入待ちの状態にある。そしてチケット若しくは紙幣が挿入されると、該挿入されたものがチケットであるか紙幣であるかの判別処理を行う（ステップＳ１２１）。ここで、図示しない紙幣挿入口からチケットを受け付けたならば（ステップＳ１２２肯定）、チケットマーキング処理を実行し（ステップＳ１２３）、チケット読取部１１２によりチケットＩＤを読み取り（ステップＳ１２４）、読み取ったチケットＩＤを管理コンピュータ１６０へ送信する（ステップＳ１２５）。当該チケットＩＤを管理コンピュータが受信したならば、管理コンピュータ１６０はチケット使用済処理を行う（ステップＳ１２６）。具体的には、チケット残高情報テーブルの使用済みフラグを「１」にし、使用日時を入力する。そしてステップＳ１２６の処理結果をチケット対応台間ユニット１１０へ送信する（ステップＳ１２７）。
【００８８】
管理コンピュータ１６０からチケット使用済処理結果を受信したならば、チケット対応台間ユニット１３０は、当該チケット使用済処理結果が正常か否かを判定する（ステップＳ１２８）。チケット使用済処理結果が正常であると判定する場合（ステップＳ１２８肯定）、チケット使用済処理結果が正常であることを報知し（ステップＳ１２９）、チケット分の玉貸し処理を行うようパチンコ機１００の玉投出機構部１０１に指示する（ステップＳ１３０）。
【００８９】
これに対して、チケット使用済処理結果が異常、即ち当該チケットＩＤが未使用ではなく使用済み若しくは精算済みのものである場合には（ステップＳ１２８否定）、チケット使用済処理結果が異常であることを報知し（ステップＳ１３２）、玉貸し処理を行わずに挿入されたチケットを遊技客へ返却すべくそのまま排出する（ステップＳ１３３）。
【００９０】
他方、図示しないチケット挿入口から紙幣を受け付けた場合には（ステップＳ１２２否定）、島端金庫１５０へ当該紙幣の搬送処理を開始する（ステップＳ１３４）。
【００９１】
次に、図６に示した島端金庫１５０及び図７に示した管理コンピュータ１６０によるチケット・紙幣回収処理手順について説明する。図１１は、図６に示した島端金庫１５０及び図７に示した管理コンピュータ１６０によるチケット・紙幣回収処理手順を示すフローチャートである。
【００９２】
同図に示すように、この島端金庫１５０は、当初紙幣若しくはチケット回収待ちの状態にある。そしてチケット若しくは紙幣が当該島端金庫１５０に回収されると、該回収されたものがチケットであるか紙幣であるかの判別処理を行う（ステップＳ１４１）。ここで、チケットを回収したと判定する場合には（ステップＳ１４２肯定）、チケット読取部１５３によりチケットＩＤを読み取り（ステップＳ１４３）、読み取ったチケットＩＤを管理コンピュータ１６０へ送信する（ステップＳ１４４）。当該チケットＩＤを管理コンピュータが受信したならば、管理コンピュータ１６０はチケットＩＤ照会処理を行う（ステップＳ１４５）。具体的には、チケット残高情報テーブルに当該チケットＩＤを持つレコードが存在するか否かを検証する。そしてステップＳ１４５の処理結果を島端金庫１５０へ送信する（ステップＳ１４６）。
【００９３】
管理コンピュータ１６０からチケットＩＤ照会処理結果を受信したならば（ステップＳ１４７）、島端金庫１５０は、当該チケットＩＤ照会処理結果が正常か否かを判定する（ステップＳ１４８）。チケットＩＤ照会処理結果が正常であると判定する場合（ステップＳ１４８肯定）、チケットＩＤ照会処理結果が正常であることを報知し（ステップＳ１４９）、チケット収納処理部１５４ａはチケットの収納処理を行う（ステップＳ１５０）。
【００９４】
これに対して、チケットＩＤ照会処理結果が異常、即ち当該チケットＩＤを持つレコードが存在しない場合には（ステップＳ１４８否定）、チケットＩＤ照会処理結果が異常であることを報知し（ステップＳ１５１）、回収されたチケットをそのまま排出する（ステップＳ１５２）。
【００９５】
他方、紙幣を回収したと判定される場合には（ステップＳ１４２否定）、島端金庫１５０の紙幣回収処理部１５４ｂは紙幣の収納処理を行う（ステップＳ１５３）。
【００９６】
以上本発明の実施例を説明したが、これらに限らず本発明は、上記実施例以外にも、特許請求の範囲に記載した技術的思想の範囲内において種々の異なる実施例にて実施されてもよいものである。
【００９７】
上述してきたように、本実施例では、デビット決済額若しくは紙幣に対応するチケットを発行するチケット発行機１３０と、このチケット発行機１３０により発行されたチケットを紙幣同様に受け入れて該チケット分のパチンコ玉を貸出処理するチケット対応台間ユニット１１０と、チケットと紙幣を同様に回収して、区別して収納する島端金庫１５０とを設けるよう構成したので、デビット決済システムをプリペイドカードシステムと切り離しつつ効率良く導入することが可能となる。
【００９８】
なお、本実施例では、デビット決済システムを用いる場合を示したが、本発明はこれに限定されるものではなく、マルチペイメントネットワークのようなデビット決済システム以外の他の決済システムを用いた場合に適用することもできる。
【００９９】
また、ここでは説明の便宜上、紙幣若しくは決済システムに基づいてチケットを発行する場合を示したが、本発明はこれに限定されるものではなく、電子マネー媒体に記憶した電子マネーを用いてチケットを発行する場合に適用することもできる。かかる電子マネーを採用する場合には、チケット発行機１３０に電子マネーを受け付ける機能を設ける必要がある。
【０１００】
さらに、本実施例では、あらかじめ管理コンピュータ１６０の設定記憶部にチケット発行単位を記憶することとしたが、本発明はこれに限定されるものではなく、チケット対応台間ユニット１１０が対象とする額に動的に適合させることもできる。この場合には、管理コンピュータ１６０が所定の若しくは全てのチケット対応台間ユニット１１０と通信を行って貸出単位額を取得し、取得した貸出単位額を設定記憶部に自動設定するよう構成すればよい。ただし、チケット対応台間ユニット１１０が異なる貸出単位額を採用する場合には、これらを統一するよう遊技店員に報知させる必要がある。
【０１０１】
また、本実施例では、チケット対応台間ユニット１１０からパチンコ機１００に対して玉貸し指示を行う場合を示したが、本発明はこれに限定されるものではなく、チケット対応台間ユニット１１０からノズルを介して直接パチンコ機１００の受け皿にパチンコ玉を投出する場合にも適用することもできる。
【０１０２】
本実施例では、チケット対応台間ユニット１１０に挿入される現金は紙幣としたが、これに限らず、硬貨であってもよい。例えば５００円硬貨と同一の有価価値が関連付けられたチケットであってもよい。また、現金が硬貨である場合には、チケットは硬貨と同一の形状をしたもの、例えば樹脂製の擬似硬貨であってもよい。
【０１０３】
本実施例では、チケットはチケット対応台間ユニット１１０に挿入され受け付けられた時点でマーキングを施され、該チケットが使用済みである旨を明示するようにした。これはチケットを再利用しないと言う前提に立っており、該チケットの材質は紙等であることを想定している。しかし本発明はこれに限らず、チケットはチケット対応台間ユニット１１０に挿入され受け付けられた時点でもマーキングを施されず、該チケットが使用済みである旨を特に明示しないようにしてもよい。この場合は、チケットは再利用可能であり、該チケットの材質は樹脂等の繰り返しの再利用に耐えうる材質であることが望ましい。
【産業上の利用可能性】
【０１０４】
本発明に係る遊技媒体貸出システム及び遊技媒体貸出方法は、各種決済システム、電子マネーシステム及びその他のシステムをプリペイドカードシステムと切り離しつつ効率よく導入する場合に有用である。また、各種決済システム及び電子マネーシステム等の現金機への効率よい導入を促進したい場合に有用である。
【図面の簡単な説明】
【０１０５】
【図１】本実施例に係る遊技媒体貸出システム及び遊技媒体貸出方法の概念を説明するための説明図である。
【図２】本実施例に係る遊技媒体貸出システムのシステム構成を示すブロック図である。
【図３】図２に示したデビット端末１４０及びチケット発行機１３０の外観構成を示す正面図である。
【図４】図２に示したデビット端末１４０及びチケット発行機１３０の内部構成を示す機能ブロック図である。
【図５】図２に示したチケット対応台間ユニット１１０の内部構成を示す機能ブロック図である。
【図６】図２に示した島端金庫１５０の内部構成を示す機能ブロック図である。
【図７】図２に示した管理コンピュータ１６０の内部構成を示す機能ブロック図である。
【図８】チケット残高情報テーブルのテーブルイメージを示すイメージ図である。
【図９】図４に示したチケット発行機１３０及び図７に示した管理コンピュータ１６０によるチケット発行手順を示すフローチャートである。
【図１０】図５に示したチケット対応台間ユニット１１０及び図７に示した管理コンピュータ１６０による玉貸し処理手順を示すフローチャートである。
【図１１】図６に示した島端金庫１５０及び図７に示した管理コンピュータ１６０によるチケット・紙幣回収処理手順を示すフローチャートである。
【符号の説明】
【０１０６】
１００    パチンコ機
１０１    玉投出機構
１１０    チケット対応台間ユニット
１１１    紙幣処理部
１１２    チケット読取部
１１３    チケットマーキング処理部
１１４    制御部
１１４ａ    紙幣対応玉貸し処理部
１１４ｂ    チケット対応玉貸し処理部
１１４ｃ    紙幣搬送制御部
１１４ｄ    チケット搬送制御部
１１５    通信Ｉ／Ｆ部
１２０    島コントローラ
１３０    チケット発行機
１３０ａ、１３０ｂ    通信Ｉ／Ｆ部
１３０ｃ    紙幣処理部
１３０ｄ    チケット発行処理部
１３０ｅ    発行制御部
１３１    表示部
１３２    金額選択ボタン
１３３    チケット発行口
１３４    紙幣挿入／排出口
１４０    デビット端末
１４１    表示部
１４２    テンキー
１４３    デビットカード挿入口
１４４    レシート発行口
１５０    島端金庫
１５１    制御部
１５１ａ    チケット・紙幣判別処理部
１５１ｂ    チケットＩＤ照合要求処理部
１５２    チケット・紙幣受付処理口
１５３    チケットＩＤ読取部
１５４    収納処理部
１５４ａ    チケット収納処理部
１５４ｂ    紙幣収納処理部
１５５    チケットＩＤ異常報知部
１５６    通信Ｉ／Ｆ部
１６０    管理コンピュータ
１６１    制御部
１６１ａ    チケット発行処理部
１６１ｂ    チケット使用済登録処理部
１６１ｃ    チケットＩＤ照合処理部
１６２    記憶部
１６２ａ    チケット残高情報ＤＢ
１６２ｂ    設定記憶部
１６３    通信Ｉ／Ｆ部
１７０    公衆回線網
１８０    情報処理センタ
１９０    ＣＡＦＩＳネットワーク
２００    デビットカード発行銀行（利用者の口座）
２１０    加盟店銀行（情報処理センタの口座）
２２０    △△銀行（パチンコ店の口座）
【図１】
2007202740.tif 000003
【図２】
2007202740.tif 000004
【図３】
2007202740.tif 000005
【図４】
2007202740.tif 000006
【図５】
2007202740.tif 000007
【図６】
2007202740.tif 000008
【図７】
2007202740.tif 000009
【図８】
2007202740.tif 000010
【図９】
2007202740.tif 000011
【図１０】
2007202740.tif 000012
【図１１】
2007202740.tif 000013